Podtech/llm-jp-corpus-v4-ja_patent huggingface dataset:
(57)【要約】【課題】  比重が銅よりも小さく、導電率及び強度にすぐれたワイヤーハーネス細物電線を提供する。【解決手段】  アルミニウム合金線の周囲に純アルミニウム線を複数撚り合わせた複合構造を有するアルミニウム細物電線からなり、該アルミニウム合金線の直径が０．０８〜０．４０ｍｍ、純アルミニウム線の直径が０．０８〜０．４０ｍｍであり、該アルミニウム合金線に対する純アルミニウム線の重量比が１０％〜４０％であり、全体の直径が０．０５〜３．０ｍｍであることを特徴とするワイヤーハーネス細物電線【選択図】      なし【特許請求の範囲】
【請求項１】
アルミニウム合金線の周囲に純アルミニウム線を複数撚り合わせた複合構造を有するアルミニウム細物電線からなり、該アルミニウム合金線の直径が０．０８〜０．４０ｍｍ、純アルミニウム線の直径が０．０８〜０．４０ｍｍであり、該アルミニウム合金線に対する純アルミニウム線の重量比が１０％〜４０％であり、全体の直径が０．０５〜３．０ｍｍであることを特徴とするワイヤーハーネス細物電線。
【発明の詳細な説明】
【技術分野】
【０００１】
本発明は、ワイヤーハーネス細物電線として好適な細物アルミ電線に関するものである。
【背景技術】
【０００２】
純アルミニウムは導電性がアルミニウムの中で最も高いが、強度が低いという欠点を有し、一方、合金アルミは強度の点ではすぐれているが、導電性が不十分であるという欠点を有する。
特開平１０−２４１４５９号公報（特許文献１）には、アルミニウム又はアルミニウム合金で被覆された綱線からなるテンションメンバの周囲に、アルミニウム又はアルミニウム合金からなる導体メンバを配置したアルミニウム電線が記載されている。
この電線は、高い強度を有するが、導電率が不十分である上、比重が大きいという欠点を有する。そして、この電線は、架送電線や架空地線に好適のもので、自動車に用いられているワイヤーハーネス細物電線としては不適のものである。
ワイヤーハーネス細物電線（以下、単にＨＮＷとも言う）としては、銅主に導電線が用いられてきたが、このものは、比重が大きく、また高価である等の問題を有し、ＨＮＷとしては未だ不満足のものである。
【０００３】
【特許文献１】特開平１０−２４１４５９号公報
【発明の開示】
【発明が解決しようとする課題】
【０００４】
本発明は、比重が銅よりも小さく、導電率及び強度にすぐれたワイヤーハーネス細物電線を提供することをその課題とする。
【課題を解決するための手段】
【０００５】
本発明によれば、アルミニウム合金線の周囲に純アルミニウム線を複数撚り合わせた複合構造を有するアルミニウム細物電線からなり、該アルミニウム合金線の直径が０．０８〜０．４０ｍｍ、純アルミニウム線の直径が０．０８〜０．４０ｍｍであり、該アルミニウム合金線に対する純アルミニウム線の重量比が１０％〜４０％であり、全体の直径が０．０５〜３．０ｍｍであることを特徴とするワイヤーハーネス細物電線が提供される。
【発明の効果】
【０００６】
本発明のＨＮＷは、その比重が銅より小さい軽量化電線であるが、その伝導率及び強度において銅線に匹敵するものである。
本発明のＨＮＷは７．５ＡＦｕｓｅマッチングするもので、銅電線と置き換え可能の物である。
【発明を実施するための最良の形態】
【０００７】
本発明で用いるアルミニウム合金線において、そのアルミニウム含量は８０〜９５重量％、好ましくは９０〜９５重量％であり、その直径は０．０８〜０．４０ｍｍ、好ましくは０．１１〜０．２０ｍｍである。該アルミニウムに添加される添加成分としては、例えば、Ｓｉ、Ｆｅ、Ｃｕ、Ｍｎ、Ｍｇ、Ｃｒ、Ｚｎ等が挙げられる。本発明で用いるアルミニウム合金は、アルミ系列でＪＩＳ５０００系のもの（Ａｌ−Ｍｇ系）のもの（例えばＪＩＳ５０５６、５１５４等）の使用が好ましい。
【０００８】
本発明で用いる純アルミニウムにおいて、そのアルミニウム含量は９９．９〜１００重量％であり、その長径は０．０８〜０．４０ｍｍ、好ましくは０．１１〜０．２０ｍｍである。該アルミニウムに添加される添加成分としては、例えば、Ｓｉ、Ｆｅ、Ｃｕ、Ｍｎ、Ｍｇ、Ｃｒ、Ｚｎ、Ｔｉ等が挙げられる。本発明で用いる純アルミニウムは、アルミ系列でＪＩＳ１０００系のもの（例えば、ＪＩＳ１０００、１１００等）の使用が好ましい。
【０００９】
本発明のＨＮＷは、アルミニウム合金線の周囲に、複数の純アルミニウム線を撚り合わせた複合構造を有する。この場合、合金アルミニウム線に対する純アルミニウム線の重量比は、１０％〜４０％、好ましくは１０％〜２０％である。このような重量比とすることにより、強度と導電率のバランスのとれたＨＮＷを得ることができる。アルミニウム合金線１本当たりの純アルミニウム線の数は、それらの太さにより異なるが、一般的には４〜７本、好ましくは６〜７本である。
本発明のＨＮＷの太さは、断面積で表して、０．０５〜３．０ｍｍ２、特に、０．０８〜０．５ｍｍ２であるが、その用途に応じて適宜定める。
【００１０】
本発明のＨＮＷにおいて、純アルミニウム線及びアルミニウム合金線は、単線の他、撚り線であることができる。
本発明のＨＮＷにおいて、アルミニウム合金線に対する純アルミニウムの撚りピッチは、８〜３０ｍｍ、好ましくは１２〜２６ｍｍである。
【００１１】
本発明のＨＮＷは、これに絶縁被覆を施して絶縁被覆電線とすることができる。
【００１２】
本発明のＨＮＷにおいて、その強度は５０〜２００Ｎ、好ましくは７０〜１００Ｎであり、その抵抗は４０〜１００ｍΩ／ｍ、好ましくは４０〜６０ｍΩ／ｍである。
【実施例】
【００１３】
次に本発明を実施例により詳述する。
【００１４】
実施例１
直径０．３２ｍｍのアルミニウム合金（アルミニウム系列ＪＩＳ５１５４）線１本の周囲に、直径０．３２ｍｍの純アルミニウム（アルミニウム系列ＪＩＳ１１００）線６本をピッチ２０ｍｍで撚り合わせてＨＮＷを作った。
このＨＮＷを軟化させて、押出機にて被覆材を被せて（肉厚０．２〜０．３ｍｍ）被覆ＨＮＷを得た。
前記ＨＮＷ（アルミニウム電線）において、その強度は、８０．１Ｎであり、その導体抵抗は５６．２ｍΩ／ｍであり、銅線（強度８３．７Ｎ、抵抗４６．４ｍΩ／ｍ）に匹敵するものであった。
(57)【要約】      （修正有）【課題】障害者や高齢者の方々が積極的に外出できることを支援するタクシー配車依頼方法を提供する。【解決手段】携帯端末やパソコンなどによりＷｅｂサーバーに接続し、タクシー配車依頼ができるため、自宅はもとより外出先からでもタクシー配車依頼が可能となり、タクシー配車依頼時に乗車場所、降車場所、障害の程度をタクシー会社に送信するため、タクシー会社では迅速な配車や障害の程度に合わせた的確な対応が可能となる。 【選択図】図１
2006012100.tif 000002
【特許請求の範囲】
【請求項１】
一般の方はもとより障害者や高齢者の方々でもタクシー配車依頼ができるシステムで、携帯電話やＰＨＳ（以下「携帯端末」という。）、パソコンからＷｅｂサーバーに接続し、会員登録する事により携帯端末の持っているＧＰＳ機能やＱＲコード読みとり機能を利用する事で、現在位置を確認し、市内や最寄りのタクシー会社を選ぶ画面に接続し、タクシーの配車依頼を行う、また自宅の住所や以前利用した乗車場所、降車場所が顧客情報としてＷｅｂサーバーに蓄積されるタクシー配車依頼システム。
【請求項２】
前記タクシー配車依頼は、携帯端末及びパソコンでＷｅｂサーバーに接続し、都道府県及び地域別に登録しているタクシー会社を指定し、乗車場所及び降車場所、障害の部位などを登録する事により、障害者や高齢者の方々でもタクシー配車依頼ができるシステム。
【請求項３】
前記Ｗｅｂサーバーに会員登録することにより、自宅や障害の程度などの情報、利用した場所が登録されることにより入力手間を簡素にすることができ、依頼を受けたタクシー会社も予め障害の程度を把握できるため、より適切な対応が可能となるシステム。
【請求項４】
前記タクシー会社は、メール着信時に着信音を出すことにより着信を即座に確認でき、待ち時間など必要事項を入力及びクリックする事で返信し、連絡ミス及び漏れなど無く返信でき、メール返信時に配車伝票の出力ができるシステム。
【発明の詳細な説明】
【技術分野】
【０００１】  本発明は、障害者や高齢者の方々たちがタクシー配車依頼をする方法に関する。
【背景技術】  特に聴覚障害者の方たちがタクシー配車依頼をする方法は、ＦＡＸでの配車依頼が一般的であった。また、コミュニケーションを手話や文字に頼らざるをえず、乗車場所や行き先を伝えるのが困難であった。
【発明の開示】
【発明が解決しようとする課題】
【０００３】  以上に述べた従来の様なタクシー配車依頼方法では、障害者や高齢者の方々たちが自宅からのタクシー配車依頼は可能でも、外出先からの依頼が困難であった。また、ＦＡＸを送られたタクシー会社でも返信を送る手間がかかり効率が悪く、ＦＡＸに気づかなければ、お客様を待たせてしまう問題があった。
また、障害者の方々たちのコミュニケーションは手話や文字に頼らざるをえず、乗車場所や目的地を伝えるのが困難であったという点である。【０００４】  本発明は、このような従来の構成が有していた問題を解決しようとするものであり、自宅や外出先から障害者や高齢者の方々はもとより一般の方でもタクシー配車依頼を行えることが主な特徴である。
【課題を解決するための手段】  上記課題を解決し目的を達成するために、この発明の車両手配方法は、以下のように構成されている。【０００５】  この発明のタクシー配車依頼方法では、携帯端末やパソコンなどにより、Ｗｅｂサーバーに対してタクシー配車依頼要求し、乗車場所、降車場所、希望のタクシー会社、携帯端末の識別情報を送信し、Ｗｅｂサーバーが各携帯端末の前記情報を受信し、Ｗｅｂサーバーからタクシー会社に顧客情報、乗車場所、降車場所を送信し、タクシー配車依頼をする、タクシー会社は前記乗車場所、降車場所、顧客情報を確認し、配車するタクシーの号車番号や到着時間、乗車場所、降車場所をお客様へメールで返信する、待ち時間などお客さまの条件に合わない場合にはキャンセルできることを特徴としたものである。【０００６】  ＱＲコード（Ｑｕｉｃｋ  Ｒｅｓｐｏｎｓｅコード）やＧＰＳ（ｇｌｏｂａｌ  ｐｏｓｉｔｉｏｎｉｎｇ  ｓｙｓｔｅｍ）機能も取り入れた携帯端末を使用することにより、現在位置の入力手間が省け、最寄りのタクシー会社を選んで配車できることを特徴としたものである。【０００７】  ＱＲコードの設置先は、自動販売機、公衆電話、電柱、コンビニエンスストア、スーパー、ショッピングセンター、デパート、パチンコ店、ゴルフ場、居酒屋、高級割烹、飲食店、健康ランド、銭湯、温泉旅館、ホテル、オフィスビル、ランドマークとなる建物、老人ホーム、ケアセンター、病院、薬局、銀行、郵便局、整体・マッサージ店、福祉施設、役所、公共施設、印刷物、出版物、ホームページ、マッチ箱、ライター、パンフレット、名刺などあらゆるものに設置することにより、外出先からでも現住所の説明をしなくても、タクシーの配車依頼が行える。
【発明を実施するための最良の形態】
【０００８】  以下、本発明の実施の形態を図１に基づいて説明する。【０００９】  図１は、本発明の構成図を示したものである。利用者はタクシーの呼び出しを行うにあたり、携帯端末（１）から携帯電話情報をＷｅｂサーバー（３）に送ることで一度会員登録すれば入力手間が省ける、パソコン（２）からの場合にも会員登録は必要であるが、会員番号やパスワードをパソコン（２）に記憶させることで、次回からＷｅｂサーバーへの接続が容易に行える。【００１０】  利用者がタクシー配車依頼する場合には、地域情報（都道府県や市町村名）、タクシー会社名、タクシーの台数、乗車場所、降車場所を入力することにより配車依頼が完了する。【００１１】  携帯端末（１）のＱＲコード読みとり機能（５）やＧＰＳ機能（６）を利用すれば、地域名称の入力が必要なく、タクシー会社の選定画面からの入力となり、入力手間が省かれる。【００１２】  Ｗｅｂサーバー（３）は携帯端末（１）やパソコン（２）の利用者の情報（乗車場所など）を指定のタクシー会社のパソコン（４）へ送信する。【００１３】  タクシー会社のパソコン（４）で利用者の情報を確認し、到着までの待ち時間や乗車場所、降車場所、配車するタクシーの号車番号などの必要事項をチェックし、利用者の携帯端末（１）やパソコン（２）へ送信する。【００１４】  タクシー会社のパソコン（４）から利用者の携帯端末（１）やパソコン（２）へ送信した時点で、配車伝票が印刷される。
【図面の簡単な説明】
【００１２】
【図１】構成図
【符号の説明】
【００１３】１    携帯端末（携帯電話やＰＨＳ電話）
２    パソコン（利用者）
３    Ｗｅｂサーバー
４    パソコン（タクシー会社）
５    ＱＲコード（Ｑｕｉｃｋ  Ｒｅｓｐｏｎｓｅコード）携帯電話の付加機能
６    ＧＰＳ機能（ｇｌｏｂａｌ  ｐｏｓｉｔｉｏｎｉｎｇ  ｓｙｓｔｅｍ）携帯電話の付加機能
７    配車伝票出力装置
【図１】
2006012100.tif 000003
(57)【要約】【課題】変圧器の突入電流を小型安価な装置を付加することにより抑制する。【解決手段】  変圧器のＡＢ相の線間電圧最大値が時ＡＢ相の遮断器を閉じ、Ｃ相の相電圧が最大の時Ｃ相の遮断器を閉じる。  三相の遮断器に２個の投入コイルを持たせる。投入時間のばらつきを少なくするため、投入時間に関係ある要素を測定し制御する。【選択図】        図１
2006012759.tif 000002
【特許請求の範囲】
【請求項１】
変圧器と、これを電源に投入する遮断器を持つ装置において、この三相電源が正相順でＡ相、Ｂ相、Ｃ相とする。
Ａ相とＢ相の遮断器の接点をＡＢ相の線間電圧が最大の瞬間に閉じ、Ｃ相の遮断器の接点をＣ相の相電圧が最大値の瞬間に閉じることを特徴とする大型変圧器の突入電流を抑制する装置。
ただし、接点を閉じるタイミングは上記の瞬間から＋−２０度の誤差範囲内にあるものも本発明の請求の範囲に入るものとする。
【請求項２】
電源のあらかじめ決められた位相角に一致した瞬間に接点を閉じる特徴を持った遮断器において、温度、操作電圧、操作空気圧、過去の投入位相角、等により、接点を閉じる操作の開始時間を決定することを特徴とする変圧器の突入電流を抑制する装置に用いられる遮断器の投入装置。
【請求項３】
２個の投入装置を持つことを特徴とする三相遮断器
【発明の詳細な説明】
【０００１】  本発明は、変圧器の突入電流を抑制する装置に関するものである。
【背景技術】
【０００２】  従来、変圧器の突入電流を抑制する装置として安価で効果のある方法がないため変圧器の突入電流は制御していなかった。
【発明の開示】
【発明が解決しようとする課題】
【０００３】  変圧器の突入電流を抑制する装置として安価で効果のある方法を提供するのが本発明の課題である。
【課題を解決しようとする課題】
【０００４】  本発明は変圧器に用いられる遮断器の２相を初めに閉じて変圧器の脚をあらかじめ決められた状態に励磁しておき、この励磁に連続運転の場合の磁束が一致した瞬間に遮断器の残りの相を閉じることにより励磁電流の突入を防ぎ課題を解決する。
【発明の効果】
本発明によれば変圧器の電源側遮断器の１相の閉時間をずらせるという比較的安価な方法で変圧器の突入電流を抑制することが出来る。
【発明の実施するための最良の形態】
【０００５】  ＡＢ相の線間電圧が最大の瞬間にＡ相とＢ相の遮断器の接点を閉じ、Ｃ相の相電圧が最大の瞬間にＣ相の接点を閉じて、大型変圧器に突入電流を流さない目的を達成する。
遮断器は２つの投入装置を持ち投入の位相角を外部条件により制御する装置を有する。
【実施例１】
【０００６】  図１は変圧器の突入電流を抑制する装置の実施例１の回路図である。
この図において、Ａ，Ｂ，Ｃ，は三相電源とその相を示すもので、遮断器５、６により変圧器４が電源に接続される。
巻線１，２，３，は変圧器の電源側の巻線でＹ結線の場合である。
この図において、コイル１はＡ相、コイル２はＢ相、コイル３はＣ相に接続される。【０００７】  変圧器の負荷側の巻線は本発明に関係ないので省略してある。
φＡ、φＢ、φＣ、はそれぞれコイル１、コイル２、コイル３、の発生する磁束である。【０００８】  図２は図１の装置を理想的に動作させた場合における、変圧器の各脚の磁束の変化を示すグラフである。
図１の遮断器５、はＡＢ相の線間電圧が最大の瞬間に閉じる。
これによりコイル１，２、にはＡＢ相の線間電圧が加わるので、磁束φＡ、φＢ、は図２の０度から立ち上がり、９０度の所で最大値となる。
この９０度の所はＣ相の相電圧が最大の瞬間であり、磁束φＣが０である。
したがて、この時図１の遮断器６を閉じれば磁束φＡ、φＢ、φＣ、が図２に示すように連続値と一致した所で遮断器６が閉じたことになり、そのまま過渡現象なく連続運転に入る。【０００９】  ＡＢ相の線間電圧はＡ相の相電圧より３０度進んでいるので、遮断器５をＡＢ相の線間電圧が最大の瞬間に閉じることによって発生す磁束φＡＢは図２に示すように、閉じた瞬間を０度として９０度の所で最大になる。
この時φＡは６０度、φＢは２７０度であり、磁束φＡＢの大きさはコイル１，２に線間電圧を加えた結果発生したものであるため、磁束φＡの８６．６％となり両者の大きさは等しくなる。【００１０】    図３は変圧器の突入電流を抑制する装置の実施例２の回路図である。
この図において、Ａ，Ｂ，Ｃ，は三相電源とその相を示すもので、遮断器５、６により変圧器４が電源に接続される。
巻線１，２，３，は変圧器４の電源側の巻線でΔ結線の場合である。
この図において、コイル１はＡＢ相、コイル２はＢＣ相、コイル３はＣＡ相に接続される。【００１１】    図４は図３の装置を理想的に動作させた場合における、大型変圧器の各脚の磁束の変化を示すグラフである。
図１の遮断器５、はＡＢ相の線間電圧が最大の瞬間に閉じる。
これによりコイル１，にはＡＢ相の線間電圧が加わり、コイル２，３にはその半分の電圧が加わるので、磁束φＡが最大の時、磁束φＢ、φＣはその半分になる。【００１２】  この時遮断器６を閉じれば連続運転の場合の磁束と全ての磁束が一致した瞬間に閉じたことになり、過渡現象や突入電流なしに連続運転に入る。
以上は遮断器５，６を理想的な位相角で閉じた場合であるが位相に多少の誤差を生じても本発明の原理を全く無視している場合よりも変圧器の突入電流は少なくなる。
なお、上記の相順を示す記号として用いられたＡ，Ｂ，Ｃ，は正相順を示すもので、絶対値を示すものではない。【００１３】  実際の遮断器では特に誤差を少なくするために、操作電源に直流を用い、温度、操作電圧、操作空気圧、過去の投入位相角、等により、接点を閉じる操作の開始時間を決定する。
２個の投入装置を持つ三相遮断器を用いても２台の三相遮断機をもちいても同じ効果が得られる。
２個の投入装置を連結し、両者の間に９０度の位相遅れをもたらす機構を設けても同じ効果がえられる。
【産業上の利用可能性】
【００１４】  電力系統に変圧器を投入した時、大きな電圧変動を発生するような場合にこれを抑制する目的で使用される。
また、本発明によれば、柱上変圧器が多数用いられている配電線においても突入電流を無くすることが出来る。
【図面の簡単な説明】
【００１５】  図１変圧器の突入電流を抑制する装置の回路図である。（実施例１）
図２、図１の回路図の遮断器５，６を閉じるタイミングと変圧器４の各脚の磁束の関係を示すグラフである。
図３変圧器の突入電流を抑制する装置の回路図である。（実施例２）
図４、図３の回路図の遮断器５，６を閉じるタイミングと変圧器４の各脚の磁束の関係を示すグラフである。
【符号の説明】
１          変圧器の電源側の巻線
２          変圧器の電源側の巻線
３          変圧器の電源側の巻線
４          変圧器
５          遮断器
６          遮断器
Ａ          三相電源のＡ相
Ｂ          三相電源のＢ相
Ｃ          三相電源のＣ相
φＡ、φＢ、φＣ、    磁束
φＡＢ                磁束
【図１】
2006012759.tif 000003
【図２】
2006012759.tif 000004
【図３】
2006012759.tif 000005
【図４】
2006012759.tif 000006
(57)【要約】【課題】  柔軟体５の装着が容易であって、回転引掛けの操作が容易で、防虫効果の高い天井用照明器具を提供する。【解決手段】  水平に配置されるほぼ平板状の器具本体１を備える。前記器具本体１の下面側に回転引掛け式に着脱自在に装着される円形かつ椀状の透光カバー６を備える。前記透光カバー６は合成樹脂によって圧空成形されたものである。前記器具本体１の周囲に下向きに折れ曲がる下折縁２を形成する。前記透光カバー６の周囲に外向きに延在する鍔部７を形成する。前記透光カバー６に前記鍔部７の内周縁に連接しそこから垂直に立ち下がる垂直面部８を形成する。前記垂直面部８に柔軟体５を装着する。前記柔軟体５は帯条を呈しかつ垂直面部８に沿った輪状を呈するものである。前記柔軟体５は前記垂直面部８に接着される基部９と該基部９に植毛された毛様部１０を具備する。前記器具本体１の下折縁２に前記柔軟体５における前記毛様部１０を接触させる。【選択図】    図１
2006012757.tif 000002
【特許請求の範囲】
【請求項１】
水平に配置されるほぼ平板状の器具本体を備え、前記器具本体の周囲にそこから下向きに折れ曲がる下折縁を形成し、前記器具本体の下面側に回転引掛け式に着脱自在に装着される円形かつ椀状の透光カバーを備え、前記透光カバーの周囲に外向きに延在する鍔部を形成し、前記透光カバーに前記鍔部の内周縁に連接しそこから垂直に立ち下がる垂直面部を形成し、前記垂直面部に柔軟体を装着し、前記柔軟体は帯条を呈しかつ前記垂直面部に沿った輪状を呈するものであり、前記柔軟体は前記垂直面部に装着される基部と該基部に植毛された毛様部を具備するものであり、前記柔軟体における前記毛様部を前記器具本体の前記下折縁に圧接させたことを特徴とする天井用照明器具。
【発明の詳細な説明】
【技術分野】
【０００１】  本発明は、水平に配置されるほぼ平板状の器具本体を備え、前記器具本体の下面側に回転引掛け式に着脱自在に装着される円形かつ椀状の透光カバーを備えた天井用照明器具に関するものである。
【背景技術】
【０００２】  回転引掛け式では、天井面に装着されている器具本体に対して、透光カバーを下側から押し当て、たとえば右回りに回して両者を着脱自在に装着する。いわば押し回しの要領である。透光カバーを外す場合は逆に左回りに回す。
大形部品となることの多い透光カバーを両手で持ち上げながら押し回しをする作業は困難である。押し回しの際の器具本体・透光カバー間の摩擦力は少ないことが望ましいが、これは簡単ではない。その一つの理由は透光カバー（例：圧空成形品）の板厚にばらつきが生ずるためである。また、器具本体とこれに装着された透光カバーとの間に過度の隙間（あそび）があると、そこを介して内部に虫が侵入するため、器具本体と透光カバーの接する部位に摩擦抵抗の少ない柔軟体を装着し、隙間（あそび）を無くしている。
【発明の開示】
【発明が解決しようとする課題】
【０００３】  本発明の目的は、防虫のための柔軟体の装着が容易であって、回転引掛けの操作が容易であって、防虫効果の高い天井用照明器具を提供することである。
【課題を解決するための手段】
【０００４】  本発明においては、透光カバーの周囲に外向きに延在する鍔部の内周縁に連接しそこから垂直に立ち下がる垂直面部に帯状かつ輪状の柔軟体を貼付ける。
【発明の効果】
【０００５】  本発明によれば、回転引掛けの操作が容易で、防虫効果が高く、また柔軟体の装着が容易になる。
【発明を実施するための最良の形態】
【０００６】  図１・図２を用いて本発明の実施形態について説明する。図１・図２の天井用照明器具は、水平に配置されるほぼ平板状の器具本体１を備える。前記器具本体１の下面側に回転引掛け式に着脱自在に装着される円形かつ椀状の透光カバー６を備える。前記透光カバー６は合成樹脂によって圧空成形されたものである。前記器具本体１の周囲に下向きに折れ曲がる下折縁２を形成する。前記透光カバー６の周囲に外向きに延在する鍔部７を形成する。前記透光カバー６に前記鍔部７の内周縁に連接しそこから垂直に立ち下がる垂直面部８を形成する。前記垂直面部８に柔軟体５を装着する。前記柔軟体５は帯条を呈しかつ垂直面部８に沿った輪状を呈するものである。前記柔軟体５は前記垂直面部８に接着される基部９と該基部９に植毛された毛様部１０を具備する。前記器具本体１の下折縁２に前記柔軟体５における前記毛様部１０を接触させる。
３は光源（環状蛍光ランプ）である。４は器具本体１に形成した鉤状の複数のカバー取付具４である。透光カバー６は圧空成形機で成形されるが、その周縁鍔部７に複数の内向きの係合凸部８５を設ける。透光カバー６を垂直軸回りに少し回転させることで、凸部８５がカバー取付具４に着脱自在に保持される。これは回転引掛け式の着脱自在な装着構造である。
説明を補足する。垂直面部８は基部９の装着を容易にする。ちなみに、垂直面部８が傾斜していると、その回りに基部９を巻き付ける作業が難しく、基部９の装着が難しくなるので、よくない。
毛様部１０付近は暗がりとなる。透光カバー６内の光は透光性の垂直面部８を介し、さらに基部９を介して毛様部１０側へ出る。基部９が介在する分だけ、毛様部１０側の光は少なくなる。基部９は光の透過率が３％未満の非透光性であることが望ましい。毛様部１０付近が暗いとその付近に虫が集まり難く、また毛様部１０と下折縁２の間を潜るのが難しいため、透光カバー６内に虫が侵入し難い。
器具本体１・鍔部７間は密着する必要はなく、若干の隙間があっても構わない。毛様部１０・下折縁２間で防虫効果を得られるからである。毛様部１０による摩擦は小さい。このため、回転引掛けの際の回転がスムーズとなり、操作性が向上する。
以上のように本発明によれば、柔軟体５の装着が容易であって、回転引掛けの操作が容易で、防虫効果の高い天井用照明器具が得られる。
【図面の簡単な説明】
【００１０】
【図１】本発明に係る天井用照明器具の分解斜視図
【図２】その要部断面図
【符号の説明】
【００１３】１：器具本体
２：下折縁
３：光源
４：カバー取付具
５：柔軟体
６：透光カバー
７：鍔部
８：凸部
９：基部
１０：毛様部
【図１】
2006012757.tif 000003
【図２】
2006012757.tif 000004
(57)【要約】【課題】  多種類の金属製筒状外カバー３０を用いる必要がない、安価な電子安定器装置を提供する。【解決手段】  放電灯点灯用の電子安定器１０（１１）を備える。前記電子安定器１０（１１）はそれぞれ樋状の下カバー１２・上カバー１４を具備する。前記下カバー１２・上カバー１４は併合されて筒状を呈する。前記下カバー１２は前記上カバー１４よりも長尺である。前記下カバー１２の両端部に取付け孔１６を形成する。前記下カバー１２の両端部は断面コ字形である。金属製かつ筒状の外カバー３０を備える。前記外カバー３０の内部に前記電子安定器１０（１１）を挿置する。前記外カバー３０の両端を塞ぐ金属製の一対の端蓋５０を備える。前記外カバー３０の各端と前記各端蓋５０との間に介在する防水用パッキング７０を備える。前記防水用パッキング７０に突起部７２を形成する。前記下カバー１２における断面コ字形を呈する前記両端部の三面に前記突起部７２を当接させる。【選択図】    図４
2006012751.tif 000002
【特許請求の範囲】
【請求項１】
放電灯点灯用の電子安定器を備え、前記電子安定器はそれぞれ樋状の下カバー・上カバーを具備し、前記下カバー・上カバーは併合されて筒状を呈し、前記下カバーは前記上カバーよりも長尺であり、前記下カバーの両端部に取付け孔を形成し、前記下カバーの両端部は断面コ字形であり、金属製かつ筒状の外カバーを備え、前記外カバーの内部に前記電子安定器を挿置し、前記外カバーの両端を塞ぐ金属製の一対の端蓋を備え、前記外カバーの各端と前記各端蓋との間に介在する防水用パッキングを備え、前記防水用パッキングに突起部を形成し、前記下カバーにおける断面コ字形を呈する前記両端部の三面に前記突起部を当接させたことを特徴とする電子安定器装置。
【発明の詳細な説明】
【技術分野】
【０００１】  本発明は、防水性能を必要とする電子安定器装置の構造に関する。
【背景技術】
【０００２】  断面形状が１種類の金属製筒状外カバーに多種断面形状の電子安定器の収納を容易に可能であれば便利だが、そのような従来品は見当たらない。
【発明の開示】
【発明が解決しようとする課題】
【０００３】  本発明の目的は、多種断面形状の電子安定器を収納する専用金属製筒状外カバーを一種類に集約し、外カバー部品の統一を図ることである。
【課題を解決するための手段】
【０００４】  本発明においては、金属製筒状外カバーの両端に装着する防水用パッキングに形成した突起により電子安定器の位置を抑制し、上記課題を解決する。
【発明の効果】
【０００５】  本発明によれば、防水用パッキングに形成した突起により筒状金属製外カバー内での電子安定器の動きが抑制可能となり。金属製筒状外カバーの集約が可能となる。このため、多種類の金属製筒状外カバーを用いる必要がないので、安価となる。
【発明を実施するための最良の形態】
【０００６】  本発明の実施形態を図４〜図６を用いて説明する。説明の便宜上、従来装置を示す図１〜図３との比較において説明する。
各図において、放電灯点灯用の最大断面寸法形状電子安定器１０・最小断面寸法形状電子安定器１１は外郭部品の樋状の下カバー１２・上カバー１４を具備し、下カバー１２・上カバー１４は併合されて筒状を呈し、下カバー１２は上カバー１４よりも長尺かつ両端部は断面形状コ字形であり、下カバー１２の両端部に取付孔１６を形成している。
図１〜図３の従来装置では、前記電子安定器１０・１１を最大断面寸法である電子安定器１０より一回り大きな断面寸法にて形成された金属製かつ筒状の外カバー３０に挿入し取付孔１６と外カバー３０の底面し形成された取付孔３６を介し、取付ねじ９０・取付ナット９２により電子安定器１０の外カバー底面３２に固定させ、電子安定器１０の外カバー３０内での動きを抑制させると共に、電子安定器１０と外カバー３０を密接させることによる電子安定器１０の放熱効果も得ている。防水性能面は外カバー３０の両端を塞ぐ金属製で一対の端蓋５０を備え、外カバー３０の各端と各端蓋５０との間に介在する防水用パッキング７０により外カバー３０内面を密封し電子安定器の防水性能を得ている。【０００７】  図４〜図６の本発明装置では、防水性能面での手法は従来技術と同一であるが、多種断面形状の放電灯点灯用の電子安定器を収納する為の外カバー３０は、電子安定器のなかで最大断面寸法となる電子安定器１０が密接する断面寸法にて形成することにより、電子安定器１０の外カバー３０内での断面方向に対する動きを抑制させ、
一方、電子安定器のなかで最小断面寸法となる電子安定器１１を最大断面寸法となる電子安定器１０で寸法設定された外カバー３０に収納する場合は、防水用パッキング７０に突起部７２が電子安定器１１の下カバー１２両端部が断面コ字形を呈する三面に当接するよう形成することにより電子安定器１１の外カバー３０内での断面方向に対する動きを抑制させる。電子安定器１０・１１長手方向に対する外カバー３０内での動きは、下カバー１２コ字形両端面を防水用パッキング７０の圧接面７４にて外カバー３０の両端を塞ぐように端蓋５０で押し付け固定することにより抑制させている。
また、本発明装置においても電子安定器１０・１１と外カバー３０を密接しており電子安定器１０・１１の放熱効果も得られ、かつ取付ねじ９０・取付ナット９２の削除を可能とする。
【図面の簡単な説明】
【０００８】
【図１】  従来装置を示す分解斜視図
【図２】  従来装置を示す断面図
【図３】  従来装置を示す側面図
【図４】  本発明装置を示す分解斜視図
【図５】  本発明装置を示す断面図
【図６】  本発明装置を示す側面図
【符号の説明】
【０００９】１０：電子安定器（最大断面寸法）
１１：電子安定器（最小断面寸法）
１２：電子安定器１０・１１の外郭部品である下カバー
１４：電子安定器１０・１１の外郭部品である上カバー
１６：下カバー１２に形成された取付孔
３０：金属製かつ筒状の外カバー
３２：外カバー３０の底面
３６：外カバー３０底面に形成された取付孔
５０：金属製の一対の端蓋
７０：防水用パッキング
７２：防水用パッキング７０に形成された突起部
７４：防水用パッキング７０の圧接面
９０：取付ねじ
９２：取付ナット
【図１】
2006012751.tif 000003
【図２】
2006012751.tif 000004
【図３】
2006012751.tif 000005
【図４】
2006012751.tif 000006
【図５】
2006012751.tif 000007
【図６】
2006012751.tif 000008
(57)【要約】      （修正有）  【課題】複数の刃受けを無駄なく使用することができるコンセントの提供。  【解決手段】コンセントの一つの突台部に設けられた一対の刃受けに対して    、突台部の中心を中心点として９０度回転させた位置にもう一対の刃受け    を設ける。  【選択図】図１
2006012752.tif 000002
【特許請求の範囲】
【請求項１】
コンセントの一対刃受けを、一つの突台部に二対設けた、縦と横に差せるコンセント。
【発明の詳細な説明】
【発明の詳細な説明】
【技術分野】
【産業上の利用分野】
【０００１】  本発明は、コンセントの突台部に二対の刃受けを設けた、縦と横にプラグが差せるようにしたコンセントに関する。
【背景技術】
【０００２】  従来のコンセントは、プラグを差す刃受けが一対であり、プラグを差す方向が限定されていた。
【発明が解決しようとする課題】
【０００３】  従来のコンセントは、プラグを差す場合一対の刃受けしかないために、プラグを差す方向が決まっていた。しかし、電化製品やパソコン等が増え複数の刃受けを設けたコンセントが頻繁に使われており、プラグの形もいろいろな種類が出回った結果、プラグの差す方向が一定方向に限定されていては、複数の刃受けを無駄なく使用することができなくなった。
【０００４】  また、家具等に隠れた壁面のコンセントにおいても、プラグを差す方向が限定してあることで、プラグを差すことが難しかったり、不便であったりした。
【０００５】また、従来プラグの刃にほこりがたまり漏電を発生させる危険があったが、プラグを横に差すことで、プラスとマイナスの両極に渡ってほこりがたまることがなくなるために、漏電の危険性が少なくなる。
【０００６】  そこで本発明は、従来の一つの突台部に対して一対の刃受けであったコンセントに、突台部の中心を中心点として９０度回転させた位置にもう一対の刃受けを設け、一つの突台部で縦と横に自由にプラグに差すことができるようにしたものである
【課題を解決するための手段】
【０００７】  上記の目的を達成するために、本発明の縦と横に差せるコンセントにおいては、一つの突台部に設けられた一対の刃受けに対して、突台部の中心を中心点として９０度回転させた位置にもう一対の刃受けを設ける。
【０００８】  コンセント内は、設置極側の刃受けからの栓歯を受ける、２つの歯受けバネを電導体で一体化とし、設置極側でない栓歯を受ける歯受けバネも同様に電導体で一体化して、各電導体をそれぞれの芯線に取付ける。
【作用】
【０００９】
【００１０】  コンセントの一つの突台部に二対の刃受けを設けることで、プラグを縦叉は横と都合によって差す方向を自由に選択できることで、複数の刃受けを持つコンセントに、形状の異なるプラグや大きなを都合よくプラグを差すことができる。
【００１１】  家具の裏等にあるコンセントや床等と接しているコンセントに対しても、プラグを横向きにすることで簡単にプラグを差すことができる。
【００１２】  また、プラグを横に差すことで、２つの刃が縦に並ぶために、プラスとマイナスの両極に渡ってほこりがたまりにくくなり、ほこりによる漏電の危険性が少なくなる。
【発明を実施するための最良の形態】
【００１３】  本発明の実施の形態を実施例にもとづき図面を参照して説明する。
図１において、カバー２に設けられた突台部３に一対の刃受け１と接地極側刃受け１１を設け、突台部３の中心を中心点として９０度回転させた位置にもう一対の刃受け１と接地極側刃受け１１を設ける、【００１４】  二対の刃受け１と接地極側刃受け１１に対して、各歯受けバネ７を設け、二つのバネ７を電導体接続部６を設けた電導体８で一体化させる。
【図面の簡単な説明】
【図１】実施携帯１のコンセントを構成するコンセント部のの内ケースの分解斜視図である
【符号の説明】
１    刃受け
２    カバー
３    突台部
４    外部電線
５    芯線
６    電線接続部
７    歯受けバネ
８    電導体
９    仕切り壁
１０  ボディ
１１  接地極側刃受け
１２  接地極側の刃受けを示す凹溝
【図１】
2006012752.tif 000003
(57)【要約】【課題】卓上用のデスクスタンドにおいて、環状蛍光ランプ及び環状蛍光ランプ内径部にＬＥＤランプを複数個備え、前記二つの光源を全灯、または、個々に点灯及び調光切替えを可能にするデスクスタンドを提供する。【解決の手段】ベ−ス１０に固定してあるフレキシブルア−ム９に設けられたランプセード２は、環状蛍光ランプ３を着脱可能に取付け、前記環状蛍光ランプ３の内径部にＬＥＤランプ６を複数個設けたＬＥＤランプユニット４を設け、前記光源の点灯は、切替スイッチ１３、または、タッチセンサー機能により順次切替えを可能にした構造である。【選択図】      図１
2006012755.tif 000002
【特許請求の範囲】
【請求項１】
卓上用のデスクスタンドにおいて、フレキシブルア−ムに環状蛍光ランプ及び、前記環状蛍光ランプ内径部に複数個のＬＥＤランプを設け、前記二つの光源を切替スイッチ、または、タッチセンサー機能により点灯を操作させることが可能なことを特徴とするＬＥＤ搭載型デスクスタンド。
【請求項２】
前記ＬＥＤ搭載型スタンドにおいて、ＬＥＤランプユニットに設けられているＬＥＤランプは、調光機能を備えた請求項１記載のＬＥＤ搭載型デスクスタンド。
【請求項３】
クランプを備えた可倒式のア−ムに前記照明具を設けたことからなる請求項１記載または請求項２記載のＬＥＤ搭載型デスクスタンド。
【発明の詳細な説明】
【技術分野】
【０００１】本発明は卓上用のデスクスタンドにおいて、環状蛍光ランプとＬＥＤランプを前記環状蛍光ランプ内径部に複数個備え、卓上全体を照らす場合は蛍光ランプ、または、スポット的用途として照らす場合はＬＥＤランプを使用用途に応じて対応可能なＬＥＤ搭載型デスクスタンドに関する。
【背景技術】
【０００２】従来のデスクスタンドにおいては、蛍光ランプ又は白熱ランプの何れかを設けたデスクスタンドが知られている。
【発明の開示】
【発明が解決しようとする課題】
【０００３】本発明の目的は、環状蛍光ランプ及び前記環状蛍光ランプの内径部にスポット照明として複数個のＬＥＤランプを備え、小範囲で使用するパソコン周辺部の照明としては、発熱量が非常に少ないスポット効果のＬＥＤランプ光源照明を、卓上全体を照らす場合は蛍光ランプを点灯し、さらに、両光源を点灯することで前記二つの効果を得ることが可能となり使用用途に応じて対応可能なＬＥＤ搭載型デスクスタンドを提供する。
【課題を解決するための手段】
【０００４】請求項１及び請求項２記載のデスクスタンドは、フレキシブルア−ムに設けられたランプセ−ド部には、小径の環状蛍光ランプを着脱可能に取付け、前記小径の環状蛍光ランプ内径部にＬＥＤランプを複数個設けたユニット部外郭に前記環状蛍光ランプを着脱可能にするソケット及びランプホルダーを設け、その操作は切替スイッチ、または、タッチセンサー機能により全灯、蛍光ランプ、ＬＥＤランプ、ＬＥＤランプ調光と順次切替え可能にしている。【０００５】請求項３記載のデスクスタンドは、クランプ付きの可倒式ア−ムに前記照明具を設けたＬＥＤ搭載型デスクスタンドである。
【発明の効果】
【０００６】当核ＬＥＤ搭載型デスクスタンドにおいて、環状蛍光ランプ及びスポット効果を持たせたＬＥＤランプを環状蛍光ランプの内径部に複数個設けることにより、用途に応じて使用することが可能である。【０００７】上述のＬＥＤランプ光源を使用した具体例を説明する。
読書灯として指向性のあるＬＥＤランプ光源を直接刊行物等に照射することで目の疲労を緩和する効果がある。
また、刊行物に近接させて使用した場合でも、ＬＥＤの特性でもある発熱量が非常に少ないので、使用者が熱による影響も受けないという効果がある。【０００８】請求項３記載のＬＥＤ搭載型デスクスタンドは、クランプを備えたア−ムに前記の照明部を設けることでパソコンラックに取付け、キーボードへスポットに照射することでディスプレーにランプの陰が写らない効果がある。
【発明を実施するための最良の形態】
【０００９】以下、本発明の実施の形態を図面を参照して説明する。
図１は、本実施形態のデスクスタンド本体１を下方向から見た斜視図である。ベース１０に固定されたフレキシブルア−ム９にランプセ−ド２を設け、前記ランプセード２の内部には、環状蛍光ランプ３を着脱を可能にするソケット７及びランプホルダー８を具備したＬＥＤランプユニット４を設け、前記ＬＥＤランプユニット４には複数個のＬＥＤランプ６を設けると共に、前記環状蛍光ランプ３はＬＥＤランプ群の外側に着脱可能に取り付けられる。【００１０】図２は、本実施形態のデスクスタンド本体１を上方向からみた斜視図である。ベース１０には点灯動作を操作する切替スイッチ１３が設けられており、この切替スイッチ１３、または、タッチセンサー機能により順次切替えを可能にしている。【００１１】図３は、本実施形態のデスクスタンド本体１のランプセ−ド部を下方向から見た部分斜視図である。ＬＥＤランプユニット外郭部５に環状蛍光ランプ３を着脱可能にするソケット７及びランプホルダー８が設けてある。【００１２】図４は、クランプ１２を備えた可倒式ア−ム１１に前記照明具を設けることで、パソコンラック等にも取付ることが可能である。【００１３】以上により、当核デスクスタンド本体１において、蛍光ランプ３の光源は広い範囲を照射し、更に指向性を持たせたＬＥＤランプ６光源は用途に応じて適位置に照射をすると共に、ＬＥＤランプ６の特性でもある非常に発熱量が少ないので、使用者が熱による影響を受けないという効果があり、また、ＬＥＤランプに調光機能を備えることで適用範囲の広いデスクスタンドを提供することが可能となる。
【図面の簡単な説明】
【００１４】
【図１】  デスクスタンド本体の下側から見た斜視図
【図２】  デスクスタンド本体の上側から見た斜視図
【図３】  ランプセード部の部分拡大斜視図
【図４】  可倒式ア−ム構造のデスクスタンド本体を下側から見た斜視図
【付号の説明】
【００１５】  １  デスクスタンド本体
２  ランプセード
３  環状蛍光ランプ
４  ＬＥＤランプユニット
５  ＬＥＤランプユニット外郭
６  ＬＥＤランプ
７  ソケット
８  ランプホルダー
９  フレキシブルアーム
１０  ベース
１１  可倒式アーム
１２  クランプ
１３  切替スイッチ
【図１】
2006012755.tif 000003
【図２】
2006012755.tif 000004
【図３】
2006012755.tif 000005
【図４】
2006012755.tif 000006
(57)【要約】      （修正有）【課題】  発光面が容易に曲がる有機ＥＬ素子による発光装置を提供する。【解決手段】  基板をなくし、発光層２ａ，２ｂを保護体５で保持するようにして繊維状７にし、この繊維体を織って布状化することにより、曲がり易い有機ＥＬ体とする。【選択図】図２
2006012760.tif 000002
【特許請求の範囲】
【請求項１】
有機ＥＬ材を陰極と陽極ではさんで層状にし、前記陰極と陽極間に電圧を印加し、前記有機ＥＬ発光層を発光させる有機ＥＬにおいて、前記層状体の周囲を通光保護体で保持し、繊維状にしたことを特徴とする繊維状有機ＥＬ素子。
【請求項２】
請求項１において、繊維状の繊維有機ＥＬ素子を織って布状化したことを特徴とする繊維状有機ＥＬ素子。
【請求項３】
請求項１，５において、通光保護体を着色したことを特徴とする有機ＥＬ素子。
【請求項４】
請求項１，５において、図２の▲ｂ▼に示すように円環状の両極の間に、有機ＥＬ材２ｂを形成したことを特徴とする有機ＥＬ素子。
【請求項５】
請求項１において繊維状ではなく、より太い棒状にしたことを特徴とする有機ＥＬ発光装置
【発明の詳細な説明】
【技術分野】
【０００１】  本発明は、有機ＥＬ材を陰極と陽極にはさんで層状にし、前記陰極と陽極に電圧を印加し、前記有機ＥＬ材を発光させる有機ＥＬ素子において、曲がり易い繊維状有機ＥＬ素子に関する。【０００２】  従来の有機ＥＬ素子は、図１に示すように、透明な基板１上に、有機ＥＬ材２を陰極３、透明な陽極４ではさんで層を成形させ、そして、陰極３と陽極４間に電圧を印加し、前記有機ＥＬ材２を発光させるようにして、表面がフラットな照明装置、例えば薄板の電灯等用に研究が進められている。
〔特許文献１〕
〔非特許文献１〕「日経サイエンス  ２００４年６月号」，日経サイエンス社
〔発明の開示〕
〔発明が解決しようとする課題〕【０００３】  以上に述べた従来の有機ＥＬ素子による発光装置は、基板１に、ガラス板、プラスチック板等が使用され、その基板１の物性により、発光面が曲がりにくいという欠点があり、例えば旗のように風になびかせるのは、困難であった。【０００４】  本発明は、このような従来の問題を解決しようとするものであり、そのために、発光面が容易に曲がるようにしたものである。
〔課題を解決するための手段〕【０００５】  本発明は、基板１上に発光層を形成させるのではなく、発光体と両極の層を繊維のような細い線状にし、それを通光保護材で保持するようにして、繊維状の有機ＥＬ体とし、それを織って布状になるようにしたのである。【０００６】  この為、本発明の有機ＥＬ体は、織物特有の曲がり易さを得ることができる。【０００７】  又、織物状の各繊維を別々に発光させたり、保護材を着色したりして、装飾効果を高めることも可能となる。【０００８】  以下、本発明の実施例を図２、３により説明する。２ａは、陰極３ａ、陽極４ａではさまれた有機ＥＬ発光層で、その回りを透明な保護体５が保持し繊維状を形成する。保護体５は、細くすると軟らかくなる合成樹脂材が適当であろう。以上の構成において、両極３ａ、４ａ間に電圧を印加すると、有機ＥＬ発光層が発光し、あたかも繊維状有機ＥＬ素子７全体が発光しているように見える。【０００９】  又、図２の▲ｂ▼に示すように、発光層２ｂを円環状になるように、両極３ｂ、４ｂを円柱状、円環状に形成させるようにしてもよく、本形成によれば周囲に均一に発光するという効果が得られる。尚、陰極３ｂを円環にしても良く、又、３ｂを陽極、４ｂを陰極、になるように交換しても効果は、同一である。
〔発明の効果〕【００１０】  以上の繊維状有機ＥＬ素子７を図３のように旗形６に織り、それを日本の国旗状に着色（有機ＥＬの発色を白に設定した場合は、６ａは、着色せず、６ｂを赤に着色する）すれば、夜間、各繊維状有機ＥＬ素子の両極に電圧を印加されることにより、日本の国旗状に発光させることができしかも風にたなびき、夜間でも自家発光の国旗としての効果が得られるのである。【００１１】  尚、本発明の実施例を国旗で説明したが、例えば夜間服、カーテン状照明でも効果的であり、その適用範囲は、広いのである。【００１２】  又、前述までは、曲がり易い繊維状で説明したが、より太い棒状にすれば、織らなくとも、棒状照明としての利用も可能である。
【図面の簡単な説明】
【００１３】〔図１〕本発明の従来の実施形態を示す部分断面図
〔図２〕本発明の繊維状有機ＥＬ素子の部分断面図
〔図３〕本発明の実施例を示す外観図
【符号の説明】
【００１４】１  基板
２  有機ＥＬ材    ２ａ，２ｂ  有機ＥＬ発光層
３，３ａ，３ｂ  陰極
４，４ａ，４ｂ  陽極
５  保護体
６  旗形
７  繊維状有機ＥＬ素子
【図１】
2006012760.tif 000003
【図２】
2006012760.tif 000004
【図３】
2006012760.tif 000005
(57)【要約】【課題】  従来の看板、標識、案内板に使われる表示板は、夜間の使用に蛍光灯を光源としたものが多く、また、ＥＬシートを光源に、軽量化されてはきたものの、構造物本体の柔軟性が低く、建物、構築物、車両等に着脱が困難で、突起状、湾曲面への設置が容易ではない。【解決手段】本構造体のように、ＥＬシートを光源として、ＦＦシートを組み合わせることで、本構造体が柔軟性を有する表示板の機能を有し、突起状、湾曲面への設置が可能となる。また、光源となるＥＬシートを、ラミネート加工を施し、防水、漏電防止の保護を行い、且、前面と背面にＦＦシートを配して、周囲を溶着することで、ＥＬシートを２重に保護を施し、屋内外への施工を可能にする。さらに、ＦＦシート前面への印刷施工により、万能の表示機能を有し、軽量化も実現して、図１のマグネットシート、マジックテープ、着脱ホック等により、建物、構築物、車両等に着脱を容易にした。【選択図】  図１
2006012758.tif 000002
【特許請求の範囲】
【請求項１】
ＥＬシートにラミネート加工を施し、尚且つ、当該ＥＬシートの表面と裏面を、ＦＦ（フレックスフェイス）シートで挟み、周囲を接着剤または溶着により密閉することで、構造物本体の柔軟性を有するフレキシブル発光表示板。
【請求項２】
構造体の最前面に、透明ビニールを配して袋状を形成し、その内部に、文字、記号、図案等を切り抜き又は印刷加工した光透過性の反射板を、任意に差し替える構造とした請求項１記載のフレキシブル発光表示板。
【発明の詳細な説明】
【技術分野】
【０００１】  本発明は、ＥＬシートを発光体とし、ＦＦシートを表示媒体として組み合わせることにより、柔軟性を有する看板、標識、案内板等を目的としたフレシキブル発光表示板に関する。
【背景技術】
【０００２】  従来の看板、標識、案内板を形成する表示板は、夜間の視認性を高めるには、表示板の裏面に蛍光灯等の光源を用いており、表示板を建物、構築物、車両等に金属の金具等で固定する構造で、重量物であり着脱が容易でない。【０００３】  従来の看板、標識、案内板を形成する小型の表示板は、ＥＬシートを光源として軽量、省電力化を実現したものもあるが、光源に電気を必要とするため、屋外で使用するものは、完全防水と漏電防止が必要である。【０００４】従来の看板、標識、案内板を形成する表示板は柔軟性が不足し、突起状、湾曲面への設置が困難である。【０００５】  従来の看板、標識、案内板を形成する表示板は、同一の形成物で、昼夜の視認性を両立することが困難である。
【発明の開示】
【発明が解決しようとする課題】
【０００６】  以上述べた従来の看板、標識、案内板を形成する表示板は、硬質の板状形成物で柔軟性が少なく、当該表示板を建物、構築物、車両等の突起状、湾曲面への施工が困難であるが、これを可能にする事を目的とする。【０００７】  また、光源であるＥＬシートの柔軟性を低下させず密閉し、防水性と漏電防止効果を高め、屋内外での使用を可能にする。【０００８】  従来の看板、標識、案内板を形成する表示板は、大型のものには光源に蛍光灯を使用しており、重量物であるがこれを軽量化し、建物、構築物、車両等に着脱及び運搬、収納保管を容易にする。
【課題を解決するための手段】
【０００９】  本発明は上記目的を達成するため、光源のＥＬシート両面に、ラミネート加工を施して完全密閉し、防水、漏電防止効果を高め、尚且つ、当該ＥＬシートの表面と裏面をＦＦ（フレックスフェイス）シートで挟み、周囲を接着剤または溶着することで、本構造体を完全密封し、さらに防水、漏電防止効果を高めて、柔軟性を有する発光表示板を実現する。【００１０】  図１に示す、前面ＦＦシートの表面に、文字、記号、図案等のカラー印刷を施す事により、昼間の視認性を高める表示板を実現し、夜間においては、発光体であるＥＬシートに電圧を加え、当該表示板を発光及び点滅することで、視認性を高める。【００１１】  図１に示す、ＦＦシートの最前面に透明ビニールを配し、ＦＦシートとの間に袋状を形成して、その内部に光透過性の反射板を用いて、文字、記号、図案等を切り文字又は印刷加工し、当該反射板を任意に差し替え、表示板としての機能を多様化する。【００１２】  本発明の本体裏面に、マグネットシート、マジックテープ、着脱ホック等を装着し、本構造体を建物、構築物、車両等に着脱を容易にする。
【発明の効果】
【００１３】  上述したように、表示板本体の軽量化及び柔軟性が確保され、着脱部にマグネットシート、マジックテープ、着脱ホック等の採用が可能になり、金属面、非金属面を問わず、また、突起状、湾曲面への着脱を容易にした。【００１４】  また、ＥＬシートを光源とし、ＦＦシートを表示媒体としての効果と、光透過性アクリル板の切り文字又は印刷加工により、新たな表示効果の創造が可能になった。
【発明を実施するための最良の形態】
【００１５】    以下、本発明の実施の形態を図１〜図３に基づいて説明する。【００１６】  本発明は、上記目的を達成するために、図１に示す、発光板であるＥＬシート５の表面に、ラミネートシート４と、裏面にラミネートシート６を用い、ＥＬシート５にラミネート加工を施し、防水性を高め漏電防止を施す。【００１７】  さらに、前面にＦＦシート３と、裏面にＦＦシート７を用いて２重の保護を行い、図３に示す構造体の周囲を、接着剤又は溶着により密閉し、完全な防水を可能にすると共に、ＦＦシートと一体化することにより、構造物本体の柔軟性を維持する。【００１８】  尚且つ、前述の構造体に、図１に示す透明ビニール１を表面に配し、本構造体との間で袋状にし、アクリル板２を切り文字、又は印刷加工を施して、袋状部分に任意に差し替えることで、表示板の用途を多様化した。【００１９】  また、図１に示す構造体の、ＦＦシート３の表面に文字、記号、図案等を印刷すると共に、アクリル板２に切り文字又は印刷加工を施し、ＥＬシート５に加電し、発光、点滅することで、新たな表示機能を創造し、昼夜の視認性を高めることを両立させている。【００２０】  図１に示す、本構造体の裏面に、マグネットシート８、マジックテープ９、着脱ホック１１等を装着して、建物、構築物、車両等の突起状、湾曲部への着脱を容易にしている。
【図面の簡単な説明】
【００２１】
【図１】  本発明の実態を示すフレシキブル発光表示板の構造図
【図２】  同フレシキブル発光表示板の断面図
【図３】  同フレシキブル発光表示板の平面図
【符号の説明】
【００２２】  １．．．．．．透明ビニール
２．．．．．．アクリル板（文字切抜き又は印刷）
３．．．．．．ＦＦシート表
４．．．．．．ラミネート表
５．．．．．．ＥＬシート
６．．．．．．ラミネート裏
７．．．．．．ＦＦシート裏
８．．．．．．マグネットシート
９．．．．．．マジックテープ
１０．．．．．．コネクター
１１．．．．．．着脱ホック
【図１】
2006012758.tif 000003
【図２】
2006012758.tif 000004
【図３】
2006012758.tif 000005